(57)【要約】【課題】高圧ガス容器から放出されるガスの流量を、比較的簡易な構成で変更可能とする。【解決手段】高圧ガス容器２００に接続される流量調整器１００は、高圧ガス容器２００の内部から外部へ高圧ガスを放出するための第１のガス流路１０と、高圧ガス容器２００の外部から内部に高圧ガスを充填するための第２のガス流路４０とを備える。そして、第１のガス流路１０、および、第２のガス流路４０における高圧ガス容器２００の外部側の端部に、それぞれ、内部にオリフィス３２が形成された継手３０、および、内部にオリフィス６２が形成された継手６０が着脱可能に接続される。【選択図】図１
2009156410.tif 000002
【特許請求の範囲】
【請求項１】
高圧ガスを貯蔵する高圧ガス容器に接続される流量調整器であって、
前記高圧ガス容器の内部と外部との間で、前記高圧ガスを流すためのガス流路と、
前記ガス流路の少なくとも一方の端部に着脱可能に接続され、内部にオリフィスを有する流量調整部材と、
を備える流量調整器。
【請求項２】
請求項１記載の流量調整器であって、
前記流量調整部材は、前記ガス流路における前記高圧ガス容器の外部側の端部に接続されている、流量調整器。
【請求項３】
請求項２記載の流量調整器であって、
前記流量調整部材は、前記ガス流路と配管とを接続するための継手である、流量調整器。
【請求項４】
請求項１ないし３のいずれかに記載の流量調整器であって、
前記ガス流路は、
前記高圧ガス容器の内部から外部へ前記高圧ガスを放出するための第１のガス流路と、
前記高圧ガス容器の外部から内部に前記高圧ガスを充填するための第２のガス流路と、
を含む流量調整器。
【請求項５】
請求項４記載の流量調整器であって、さらに、
前記第１のガス流路に配設され、前記高圧ガス容器の内部から外部へ前記高圧ガスを放出するか否かを切り換えるためのバルブを備える、流路調整器。
【請求項６】
請求項４または５記載の流量調整器であって、さらに、
前記第２のガス流路に配設され、前記高圧ガス容器の内部から外部への前記高圧ガスの逆流を防止するための逆止弁を備える、流路調整器。
【請求項７】
請求項４記載の流路調整器であって、さらに、
前記第１のガス流路に配設され、前記高圧ガス容器の内部から外部へ前記高圧ガスを放出するか否かを切り換えるための第１のバルブと、
前記第２のガス流路に配設され、前記高圧ガス容器の内部から外部への前記高圧ガスの放出を防止するための逆止弁と、
前記第１のガス流路における前記第１のバルブと前記高圧ガス容器の外部側の端部との間と、前記第２のガス流路における前記逆止弁と前記高圧ガス容器の内部側の端部との間とを接続するバイパス流路と、
前記バイパス流路に配設され、前記バイパス流路を連通させるか否かを切り換えるための第２のバルブと、
を備える流路調整器。
【請求項８】
請求項１ないし３のいずれかに記載の流量調整器であって、
前記ガス流路は、１系統であり、前記高圧ガス容器の内部から外部へ前記高圧ガスを放出するため、および、前記高圧ガス容器の外部から内部に前記高圧ガスを充填するための双方に共通に利用される、流量調整器。
【請求項９】
請求項８記載の流量調整器であって、さらに、
前記ガス流路に配設され、前記ガス流路を連通させるか否かを切り換えるためのバルブを備える、流量調整器。
【請求項１０】
高圧ガスを貯蔵する高圧ガス容器であって、
請求項１ないし９のいずれかに記載の流量調整器を備える、高圧ガス容器。
【発明の詳細な説明】
【技術分野】
【０００１】
本発明は、高圧ガスを貯蔵する高圧ガス容器に接続される流量調整器、および、この流量調整器を備える高圧ガス容器に関するものである。
【背景技術】
【０００２】
高圧ガス（圧縮ガス、および、液化ガス）を貯蔵する高圧ガス容器には、高圧ガスを高圧ガス容器の内部から外部に放出したり、高圧ガス容器の外部から内部に充填したりするためのバルブ装置が接続される。そして、このような高圧ガス容器は、種々の用途に用いられるため、高圧ガスが用いられるシステムに応じて、高圧ガス容器から放出される高圧ガスの流量を適宜変更する必要がある。
【０００３】
一般に、高圧ガス容器から放出される高圧ガスの流量を変更するためには、例えば、バルブ装置の設計を変更したり、バルブ装置に接続される配管に流量調整弁を配設したり、配管を変更したりする必要があった。そして、このことは、高圧ガスを用いるシステムの設計の自由度の低下や、高圧ガスを用いるシステムを構成する部品点数の増加等の不具合を招いていた。
【０００４】
そこで、このような不具合を解消すべく、高圧ガス容器から放出される高圧ガスの流量を変更するための種々の技術が提案されている。例えば、下記特許文献１には、バルブ装置に流量設定器を接続することが記載されている。そして、この流量設定器では、互いに開口面積が異なる複数のオリフィスを有するオリフィス板を内部に備えており、ガスが通過するオリフィスを切り替えることによって、ガス容器から放出されるガスの流量を切り替えることができる。
【０００５】
【特許文献１】特開２００５−１４１２８７号公報
【特許文献２】特開平５−６０２９８号公報
【発明の開示】
【発明が解決しようとする課題】
【０００６】
しかし、上記特許文献１に記載された技術では、流量設定器に備えられたオリフィス板に形成可能なオリフィスの数には限りがあるため、オリフィス板に所望の開口面積を有するオリフィスが形成されていない場合には、流量設定器の内部に備えられているオリフィス板を所望の開口面積を有するオリフィスが形成されたオリフィス板に交換したり、流量設定器を、所望の開口面積を有するオリフィスが形成されたオリフィス板を備える流量設定器に交換したりしなければならない。そして、このような作業は煩雑である。また、上記特許文献１に記載された技術では、高圧ガスを用いるシステムの設計後、あるいは、変更後には、高圧ガス容器から放出される高圧ガスの流量が一定でよく、オリフィスの開口面積が１種類でよい場合には、オリフィス板が複数のオリフィスを有していても、利用されないオリフィスが存在することとなり、過剰性能になる。
【０００７】
本発明は、上述の課題を解決するためになされたものであり、高圧ガス容器から放出されるガスの流量を、比較的簡易な構成で変更可能とする技術を提供することを目的とする。
【課題を解決するための手段】
【０００８】
本発明は、上述の課題の少なくとも一部を解決するために以下の形態又は適用例として実現することが可能である。
【０００９】
［適用例１］高圧ガスを貯蔵する高圧ガス容器に接続される流量調整器であって、
前記高圧ガス容器の内部と外部との間で、前記高圧ガスを流すためのガス流路と、
前記ガス流路の少なくとも一方の端部に着脱可能に接続され、内部にオリフィスを有する流量調整部材と、を備える流量調整器。
【００１０】
適用例１の流量調整器では、内部にオリフィスを有する流量調整部材が、上記ガス流路の少なくとも一方の端部に着脱可能に接続される。したがって、互いに開口面積が異なるオリフィスを内部に有する流量調整部材を予め複数種類用意しておけば、流量調整部材を交換するだけで、高圧ガス容器から放出される高圧ガスの流量を容易に変更することができる。つまり、本適用例の流量調整器では、高圧ガス容器から放出される高圧ガスの流量を、比較的簡易な構成で変更可能とすることができる。
【００１１】
なお、本適用例の流量調整器は、高圧ガスを用いるシステムの設計後、あるいは、変更後には、高圧ガス容器から放出される高圧ガスの流量が一定でよく、オリフィスの開口面積が１種類でよい場合に好適である。
【００１２】
［適用例２］適用例１記載の流量調整器であって、前記流量調整部材は、前記ガス流路における前記高圧ガス容器の外部側の端部に接続されている、流量調整器。
【００１３】
適用例２の流量調整器では、流量調整部材が、上記ガス流路における高圧ガス容器の外部側の端部に接続されているので、高圧ガス容器から流量調整器を取り外すことなく、流量調整部材の交換によって、高圧ガスの流量を容易に変更することができる。
【００１４】
［適用例３］適用例２記載の流量調整器であって、前記流量調整部材は、前記ガス流路と配管とを接続するための継手である、流量調整器。
【００１５】
適用例３の流量調整器では、流路構成部材として、上記ガス流路と配管とを接続する継手を用いており、この継手の内部にオリフィスが形成されている。したがって、互いに開口面積が異なるオリフィスを内部に有する継手を予め複数種類用意しておけば、継手を交換するだけで、高圧ガス容器から放出される高圧ガスの流量を容易に変更することができる。
【００１６】
［適用例４］適用例１ないし３のいずれかに記載の流量調整器であって、前記ガス流路は、前記高圧ガス容器の内部から外部へ前記高圧ガスを放出するための第１のガス流路と、前記高圧ガス容器の外部から内部に前記高圧ガスを充填するための第２のガス流路と、を含む流量調整器。
【００１７】
適用例４の流量調整器では、上記第１のガス流路を含む高圧ガス放出系、あるいは、上記第２のガス流路を含む高圧ガス充填系に何らかの故障が発生した場合に、故障した高圧ガス放出系、あるいは、高圧ガス充填系から流出する高圧ガスを、流量調整部材の内部に形成されたオリフィスによって制限することができる。
【００１８】
［適用例５］適用例４記載の流量調整器であって、さらに、前記第１のガス流路に配設され、前記高圧ガス容器の内部から外部へ前記高圧ガスを放出するか否かを切り換えるためのバルブを備える、流路調整器。
【００１９】
［適用例６］適用例４または５記載の流量調整器であって、さらに、前記第２のガス流路に配設され、前記高圧ガス容器の内部から外部への前記高圧ガスの逆流を防止するための逆止弁を備える、流路調整器。
【００２０】
適用例５、または、適用例６の流量調整器では、上記第１のガス流路に配設され、高圧ガス容器の内部から外部へ高圧ガスを放出するか否かを切り換えるためのバルブ、または、上記第２のガス流路に配設され、高圧ガス容器の内部から外部への高圧ガスの放出を防止するための逆止弁を備えるので、流量調整器をバルブ装置として利用することができる。
【００２１】
［適用例７］適用例４記載の流路調整器であって、さらに、前記第１のガス流路に配設され、前記高圧ガス容器の内部から外部へ前記高圧ガスを放出するか否かを切り換えるための第１のバルブと、前記第２のガス流路に配設され、前記高圧ガス容器の内部から外部への前記高圧ガスの放出を防止するための逆止弁と、前記第１のガス流路における前記第１のバルブと前記高圧ガス容器の外部側の端部との間と、前記第２のガス流路における前記逆止弁と前記高圧ガス容器の内部側の端部との間とを接続するバイパス流路と、前記バイパス流路に配設され、前記バイパス流路を連通させるか否かを切り換えるための第２のバルブと、を備える流路調整器。
【００２２】
適用例７の流量調整器では、上記バイパス流路、および、第２のバルブを備えるので、上記第１のバルブが閉弁したまま故障した場合に、上記第２のバルブを開弁することによって、高圧ガス容器から上記第２のガス流路、上記バイパス流路、上記第１のガス流路を介して、高圧ガスを放出することができる。
【００２３】
［適用例８］適用例１ないし３のいずれかに記載の流量調整器であって、前記ガス流路は、１系統であり、前記高圧ガス容器の内部から外部へ前記高圧ガスを放出するため、および、前記高圧ガス容器の外部から内部に前記高圧ガスを充填するための双方に共通に利用される、流量調整器。
【００２４】
適用例８の流量調整器では、１系統の上記ガス流路が、高圧ガス放出用、および、高圧ガス充填用の双方に共通に利用されるので、高圧ガス放出用のガス流路と、高圧ガス充填用のガス流路とを別々に備える場合と比較して、流量調整器の内部構成を簡略化することができる。なお、本適用例の流量調整器には、上記ガス流路には、高圧ガス放出用配管や、高圧ガス充填用配管や、上記ガス流路と高圧ガス放出用配管とを連通させるか否か、あるいは、上記ガス流路と高圧ガス充填用配管とを連通させるか否かを切り換える切換バルブが接続される。
【００２５】
［適用例９］適用例８記載の流量調整器であって、さらに、前記ガス流路に配設され、前記ガス流路を連通させるか否かを切り換えるためのバルブを備える、流量調整器。
【００２６】
適用例９の流量調整器では、上記バルブが上記ガス流路に配設されているので、上記バルブ、および、上記切換バルブの動作を制御することによって、高圧ガス容器内の高圧ガスを放出したり、高圧ガス容器内に高圧ガスを充填したりすることができる。
【００２７】
［適用例１０］高圧ガスを貯蔵する高圧ガス容器であって、適用例１ないし９のいずれかに記載の流量調整器を備える、高圧ガス容器。
【００２８】
なお、本発明は、上述した流量調整器に用いられる流量調整部材（例えば、適用例３の流量調整器に用いられる継手）の発明として構成することもできる。
【発明を実施するための最良の形態】
【００２９】
以下、本発明の実施の形態について、実施例に基づき説明する。
Ａ．第１実施例：
図１は、第１実施例としての流量調整器１００を備える高圧ガス容器の概略構成を模式的に示す説明図である。図示するように、流量調整器１００は、高圧ガスを貯蔵する高圧ガス容器２００に接続される。
【００３０】
そして、本実施例では、高圧ガス容器２００は、図示は省略しているが、燃料電池によって発電された電力を利用して走行する電気自動車に搭載され、高圧ガス容器２００内には、高圧ガスとして、燃料電池による発電に利用される燃料ガスとしての水素（圧縮水素）が充填されているものとした。これらは、後述する第２実施例、および、第３実施例においても同様である。
【００３１】
流量調整器１００の内部には、図示するように、高圧ガス容器２００の内部から外部へ圧縮水素を放出するための第１のガス流路１０、および、高圧ガス容器２００の外部から内部に圧縮水素を充填するための第２のガス流路４０が形成されている。そして、第１のガス流路１０には、高圧ガス容器２００の内部から外部へ圧縮水素を放出するか否かを切り換えるための電磁弁２０が配設されている。この電磁弁２０は、ノーマリクローズである。また、第２のガス流路４０には、高圧ガス容器２００の内部から外部への圧縮水素の逆流を防止するための逆止弁５０が配設されている。
【００３２】
なお、第２のガス流路４０における逆止弁５０と高圧ガス容器２００の内部側の端部との間には、分岐流路７０が形成されており、この分岐流路７０の端部には、火災等によって高圧ガス容器２００の温度が所定温度（例えば、１１０（℃））以上になったときに、高圧ガス容器２００内の圧縮水素を外部に放出するための安全弁８０が接続されている。
【００３３】
流量調整器１００の内部に形成された第１のガス流路１０における高圧ガス容器２００の外部側の端部には、第１のガス流路１０と、燃料電池へ水素を供給するための水素供給配管３００とを接続するための継手３０が着脱可能に接続されている。そして、電磁弁２０を開弁することによって、高圧ガス容器２００内の水素を、第１のガス流路１０、および、水素供給配管３００を介して、燃料電池に供給することができる。
【００３４】
また、流量調整器１００の内部に形成された第２のガス流路４０における高圧ガス容器２００の外部側の端部には、第２のガス流路４０と、電気自動車に設けられた水素充填口から圧縮水素を充填するための水素充填配管４００とを接続するための継手６０が着脱可能に接続されている。水素充填口からの圧縮水素の充填は、いわゆる水素供給ステーション（水素ステーション）で行われる。
【００３５】
継手３０、および、継手６０の内部には、それぞれ、第１のガス流路１０、および、第２のガス流路４０を流れる圧縮水素の流量を規定するためのオリフィス３２、および、オリフィス６２が形成されている。オリフィス３２、および、オリフィス６２の開口面積は、それぞれ、第１のガス流路１０、および、第２のガス流路４０を流れる圧縮水素の流量に基づいて設定されている。継手３０、および、継手６０は、本発明における流量調整部材に相当する。
【００３６】
以上説明した第１実施例の流量調整器１００によれば、内部にオリフィスを有する継手３０、および、継手６０を着脱可能に備えているので、互いに開口面積が異なるオリフィスを内部に有する継手を予め複数種類用意しておけば、継手３０，６０を交換するだけで、高圧ガス容器２００から放出される水素の流量を容易に変更することができる。つまり、本実施例の流量調整器１００によれば、高圧ガス容器２００から放出される水素の流量を、比較的簡易な構成で変更可能とすることができる。
【００３７】
また、本実施例の流量調整器１００では、内部にオリフィスを有する継手３０、および、継手６０が、それぞれ、第１のガス流路１０、および、第２のガス流路４０における高圧ガス容器２００の外部側の端部に接続されているので、高圧ガス容器２００から流量調整器１００を取り外すことなく、継手３０、および、継手６０の交換によって、水素の流量を容易に変更することができる。
【００３８】
また、本実施例の流量調整器１００では、継手３０、および、継手６０の内部に、それぞれ、オリフィス３２、および、オリフィス６２が形成されているので、電磁弁２０や、逆止弁５０が開弁したまま故障した場合に、高圧ガス容器２００の内部から流出する水素の流量を制限することもできる。
【００３９】
Ｂ．第２実施例：
図２は、第２実施例としての流量調整器１００Ａを備える高圧ガス容器の概略構成を模式的に示す説明図である。第２実施例の流量調整器１００Ａの構成は、先に説明した第１実施例における流量調整器１００の構成とほぼ同じである。ただし、図示するように、第２実施例の流量調整器１００Ａは、流量調整器１００の構成に加えて、第１のガス流路１０における電磁弁２０と継手３０との間と、第２のガス流路４０における逆止弁５０と高圧ガス容器２００の内部側の端部との間とを接続するバイパス流路４２を備えている。そして、このバイパス流路４２には、バイパス流路４２を連通させるか否かを切り換えるための電磁弁４４が配設されている。この電磁弁４４は、ノーマリクローズである。電磁弁２０、および、電磁弁４４は、それぞれ、本発明における第１のバルブ、および、第２のバルブに相当する。
【００４０】
以上説明した第２実施例の流量調整器１００Ａによっても、先に説明した第１実施例の流量調整器１００と同様に、内部にオリフィスを有する継手３０、および、継手６０を着脱可能に備えているので、互いに開口面積が異なるオリフィスを内部に有する継手を予め複数種類用意しておけば、継手３０，６０を交換するだけで、高圧ガス容器２００から放出される水素の流量を容易に変更することができる。
【００４１】
また、本実施例の流量調整器１００Ａでは、バイパス流路４２、および、電磁弁４４を備えるので、第１のガス流路１０に配設された電磁弁２０が閉弁したまま故障した場合に、電磁弁４４を開弁することによって、高圧ガス容器２００から、第２のガス流路４０、バイパス流路４２、第１のガス流路１０を介して、水素供給配管３００に水素を放出することができる。
【００４２】
Ｃ．第３実施例：
図３は、第３実施例としての流量調整器１００Ｂを備える高圧ガス容器の概略構成を模式的に示す説明図である。
【００４３】
図示するように、第３実施例の流量調整器１００Ｂの内部には、１系統のガス流路１０Ｂが形成されており、このガス流路１０Ｂは、高圧ガス容器２００の内部から外部へ圧縮水素を放出するため、および、高圧ガス容器２００の外部から内部に圧縮水素を充填するための双方に共通に利用される。そして、ガス流路１０Ｂには、ガス流路１０Ｂを連通させるか否かを切り換えるための電磁弁２０が配設されている。また、ガス流路１０Ｂにおける電磁弁２０と高圧ガス容器２００の内部側の端部との間には、分岐流路７０が形成されており、この分岐流路７０の端部には、安全弁８０が接続されている。
【００４４】
流量調整器１００Ｂの内部に形成されたガス流路１０Ｂにおける高圧ガス容器２００の外部側の端部には、ガス流路１０Ｂと、水素供給配管３００とを接続するための、内部にオリフィス３２が形成された継手３０が着脱可能に接続されている。
【００４５】
また、水素供給配管３００には、三方弁３２０が配設されており、この三方弁３２０には、水素充填配管４００が接続されている。そして、高圧ガス容器２００から燃料電池に水素を供給するときには、水素供給配管３００を介して、高圧ガス容器２００内の圧縮水素が燃料電池に供給されるように、三方弁３２０の連通方向が切り換えられ、水素充填口から高圧ガス容器２００に圧縮水素を充填するときには、水素充填配管４００、および、水素供給配管３００を介して、高圧ガス容器２００内に圧縮水素が充填されるように、三方弁３２０の連通方向が切り換えられる。こうすることによって、高圧ガス容器２００内の圧縮水素を燃料電池に供給したり、高圧ガス容器２００内に圧縮水素を充填したりすることができる。
【００４６】
以上説明した第３実施例の流量調整器１００Ｂによっても、先に説明した第１実施例の流量調整器１００と同様に、内部にオリフィスを有する継手３０を着脱可能に備えているので、互いに開口面積が異なるオリフィスを内部に有する継手を予め複数種類用意しておけば、継手を交換するだけで、高圧ガス容器２００から放出される水素の流量を容易に変更することができる。
【００４７】
また、本実施例の流量調整器１００Ｂでは、ガス流路１０Ｂが、圧縮水素の放出用、および、充填用の双方に共通に利用されるので、第１実施例の流量調整器１００のように、圧縮水素放出用の第１のガス流路１０と、圧縮水素充填用の第２のガス流路４０とを別々に備える場合と比較して、流量調整器の内部構成を簡略化することができる。
【００４８】
Ｄ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形が可能である。
【００４９】
Ｄ１．変形例１：
図４は、第１実施例の変形例としての流量調整器１００Ｃを備える高圧ガス容器の概略構成を示す説明図である。この流量調整器１００Ｃの構成は、先に説明した第１実施例における流量調整器１００の構成とほぼ同じである。ただし、流量調整器１００Ｃでは、第１実施例における継手３０、および、継手６０の代わりに、それぞれ、継手３０Ｃ、および、継手６０Ｃを備えており、これら継手３０Ｃ，６０Ｃの内部には、オリフィスは形成されていない。その代わりに、流量調整器１００Ｃでは、図示するように、第１のガス流路１０における高圧ガス容器２００の内部側の端部に、内部にオリフィス３６を有する流量調整部材３４が着脱可能に接続されている。また、第２のガス流路４０における高圧ガス容器２００の内部側の端部に、内部にオリフィス６６を有する流量調整部材６４が着脱可能に接続されている。
【００５０】
以上説明した流量調整器１００Ｃによれば、内部にオリフィスを有する流量調整部材３４、および、流量調整部材６４を着脱可能に備えているので、互いに開口面積が異なるオリフィスを内部に有する流量調整部材を予め複数種類用意しておけば、流量調整部材を交換するだけで、高圧ガス容器２００から放出される水素の流量を容易に変更することができる。
【００５１】
Ｄ２．変形例２：
上記第１ないし第３実施例の流量調整器１００，１００Ａ，１００Ｂにおいて、継手３０、および、継手６０の外形形状は、任意に設定可能である。継手３０，６０の外形形状を、例えば、テーパネジや平行ネジが形成されたねじ込み形としてもよいし、フランジ形としてもよいし、また、溶接形としてもよい。
【００５２】
Ｄ３．変形例３：
上記第１実施例、および、第２実施例では、継手３０、および、継手６０の双方の内部に、それぞれ、オリフィス３２、および、オリフィス６２が形成されているものとしたが、本発明は、これに限られない。例えば、継手６０として、内部にオリフィスが形成されていない継手を用いるようにしてもよい。
【００５３】
Ｄ４．変形例４：
上記第１ないし第３実施例、および、変形例の流量調整器の構成の一部を、適宜、省略したり、組み合わせたりするようにしてもよい。
【００５４】
Ｄ５．変形例５：
上記実施例では、高圧ガス容器２００は、燃料電池によって発電された電力を利用して走行する電気自動車に搭載され、高圧ガス容器２００の内部には、圧縮水素が充填されているものとしたが、本発明は、これに限られない。高圧ガス容器２００の内部に他の高圧ガスを充填するようにし、その高圧ガスを用いるシステムに適用するようにしてもよい。
【図面の簡単な説明】
【００５５】
【図１】第１実施例としての流量調整器１００を備える高圧ガス容器の概略構成を模式的に示す説明図である。
【図２】第２実施例としての流量調整器１００Ａを備える高圧ガス容器の概略構成を模式的に示す説明図である。
【図３】第３実施例としての流量調整器１００Ｂを備える高圧ガス容器の概略構成を模式的に示す説明図である。
【図４】変形例としての流量調整器１００Ｃを備える高圧ガス容器の概略構成を示す説明図である。
【符号の説明】
【００５６】
１００，１００Ａ，１００Ｂ，１００Ｃ…流量調整器
１０…第１のガス流路
１０Ｂ…ガス流路
２０…電磁弁
３０，３０Ｃ…継手
３２…オリフィス
３４…流量調整部材
３６…オリフィス
４０…第２のガス流路
４２…バイパス流路
４４…電磁弁
５０…逆止弁
６０，６０Ｃ…継手
６２…オリフィス
６４…流量調整部材
６６…オリフィス
７０…分岐流路
８０…安全弁
２００…高圧ガス容器
３００…水素供給配管
３２０…三方弁
４００…水素充填配管
【図１】
2009156410.tif 000003
【図２】
2009156410.tif 000004
【図３】
2009156410.tif 000005
【図４】
2009156410.tif 000006